(57)【要約】      （修正有）【課題】上扉の裏面にノズルを着脱自在に係止させても、上扉の開放に対しノズルの姿勢が変化せず、且つ上扉が重くならないようにする。【解決手段】トンネル壁面に沿った監視員通路に消火栓収納箱が埋込み設置され、内部に泡ノズル７８付きのホース７６が収納される。道路側となる筐体３１の前面扉開口３３に、前扉３２が上下方向にスライド開閉自在に配置される。監視員通路側となる筐体３１の上面扉開口３５に、第１上扉３４が筐体３１の前縁コーナー部のヒンジ４６を軸として後開きが自在に軸支され、第１上扉３４の第２上面扉開口３７に、ヒンジ４２を軸として第２上扉３６が前開き自在に軸支される。第２上扉３６の裏面に揺動自在に懸架されたノズルホルダ−８６Ａのチャッキ爪９２により、ホース７６の先端に設けられた泡ノズル７８が着脱自在に係止されている。【選択図】図１１
2018038781.tif 000002
【特許請求の範囲】
【請求項１】
筐体の内部にノズル付きのホースが収納された消火栓収納箱に於いて、
前記筐体の上面に形成された上面扉開口に、上下回りに開閉自在に軸支された上扉と、
前記上扉の裏面に揺動自在に懸架され、前記ホースの先端に設けられた前記のノズルを着脱自在に係止させるノズルホルダーと、
が設けられたことを特徴とする消火栓収納箱。
【請求項２】
請求項１記載の消火栓収納箱に於いて、前記ノズルホルダーは、
前記上扉の裏面に配置された軸受け部材に、前記上扉の軸心線と平行な軸心線により揺動自在に軸支されたホルダー本体と、
前記ホルダー本体の先端に配置され、前記ノズルを着脱自在に掴む複数本の板ばねによるチャッキ爪が放射状に配置されたチャッキ部と、
により構成されたことを特徴とする消火栓収納箱。
【請求項３】
請求項１記載の消火栓収納箱に於いて、前記ノズルホルダーは、
前記上扉の裏面に配置された軸受け部材に、前記上扉の軸心線と平行な軸心線により揺動自在に軸支されたホルダー本体と、
前記ホルダー本体の先端に配置され、前記ノズルの逆テーパ先端部を横方向から受け入れて抜け落ちしないように吊り下げ状態に係止させる箱枠状のノズル把持部と、
により構成されたことを特徴とする消火栓収納箱。
【請求項４】
請求項３記載の消火栓収納箱に於いて、前記ノズルホルダーの前記ノズル把持部は、前記ノズルの逆テーパ先端部を出し入れする開口が左右に形成されると共に下側横方向に前記逆テーパ先端部の付け根側を通過可能な横幅を持つ下側開口が形成され、前記下側開口の中央に、横方向から受け入れた前記ノズルの前記逆テーパ先端部を嵌め込み保持させる円弧状の切欠が形成されたことを特徴とする消火栓収納箱。
【請求項５】
請求項１記載の消火栓収納箱に於いて、前記ノズルホルダーは、
前記上扉の裏面に配置された支持部材に、前記上扉の軸心線と平行な第１軸心線により回動自在に軸支された第１ホルダー部材と、
前記第１ホルダー部材に対し、前記第１軸心線に直交する第２軸心線回りに回動自在に軸支された第２ホルダー部材と、
前記第２ホルダー部材に対し、前記第２軸心線に直交する第３軸心線回りに回動自在に軸支された第３ホルダー部材と、
前記第３ホルダー部材の先端に配置され、前記ノズルを着脱自在に掴むチャッキ部と、
により構成されたことを特徴とする消火栓収納箱。
【請求項６】
請求項１記載の消火栓収納箱に於いて、前記ノズルホルダーは、
前記上扉の裏面に配置された支持部材に、前記上扉の軸心線と平行な第１軸心線により回動自在に軸支された第１ホルダー部材と、
前記第１ホルダー部材に対し、前記第１軸心線に直交する第２軸心線回りに回動自在に軸支された第２ホルダー部材と、
前記第２ホルダー部材の先端に配置され、前記ノズルを着脱自在に掴むチャッキ部と、
により構成されたことを特徴とする消火栓収納箱。
【請求項７】
請求項５又は６記載の消火栓収納箱に於いて、
前記チャッキ部は、複数本の板ばねが放射状に配置されたチャッキ爪としたことを特徴とする消火栓装置。
【請求項８】
請求項５又は６記載の消火栓収納箱に於いて、
前記チャッキ部は、前記ノズルの逆テーパ先端部を横方向から受け入れて抜け落ちしないように吊り下げ状態に係止させる箱枠状のノズル把持部としたことを特徴とする消火栓装置。
【請求項９】
請求項１記載の消火栓収納箱に於いて、前記上扉は、前記筐体の前記上面扉開口に、前記上扉の後縁部を軸として上下回りに開閉自在に軸支されると共に、前記上扉の前縁部を軸として上下回りに開閉自在に軸支されたことを特徴とする消火栓収納箱。
【請求項１０】
請求項１記載の消火栓収納箱に於いて、前記上扉は、
前記上面扉開口に、前記筐体の前縁コーナー部を軸として後開き自在に軸支された第１上扉と、
前記第１上扉に形成された扉開口に、扉後縁部を軸として前開き自在に軸支された第２上扉と、
により構成され、前記第２上扉の裏面に前記ノズルホルダーが揺動自在に懸架されたことを特徴とする消火栓収納箱。
【発明の詳細な説明】
【技術分野】
【０００１】
本発明は、ノズル付きホースを引き出して消火用水又は消火泡を放出させる消火栓収納箱に関する。
【背景技術】
【０００２】
従来、高速道路や自動車専用道路などのトンネル内に設置するトンネル非常用設備として消火栓装置が設けられており、消火栓装置は開放自在な消火栓扉を備え、先端にノズルを装着したホースと消火栓弁を含むバルブ類を収納している。
【０００３】
消火栓装置は、一般的に、トンネル側壁に沿って例えば５０メートル間隔でトンネル壁面に埋込み設置されている。火災を伴う車両事故が発生した場合には、監視員通路のあるトンネルでは、事故車両の運転者等の道路利用者は監視員通路の側面に設置されたステップ等により監視員通路に登り、トンネル壁面に設置された消火栓装置の消火栓扉を前方に開放してノズル付きのホースを取出して消火作業を行うようにしている。
【０００４】
監視員通路は路面に対し高くした側壁通路として設けられ、トンネル内の車両通行を妨げることなく且つ安全にトンネル内に設置している消火栓装置を含む各種の機器の点検を行うことを可能としている。
【０００５】
また、監視員通路のないトンネルにあっては、事故車両の運転者等の利用者は、トンネル壁面に設置された消火栓装置に近づき、同様に、消火栓扉を前方に開放してノズル付きのホースを取出して消火作業を行うようにしている。
【先行技術文献】
【特許文献】
【０００６】
【特許文献１】特開２００６−１８１０５７号公報
【特許文献２】特開２００８−０５５０２４号公報
【特許文献３】特開２００９−２８５１２６号公報
【発明の概要】
【発明が解決しようとする課題】
【０００７】
ところで、シールド工法等により作られた都市型トンネルにあっては、トンネル壁面に消火栓装置を埋込み設置できない構造であり、監視員通路側面（壁面）に消火栓装置を埋込み設置する必要がある。
【０００８】
しかしながら、従来の消火栓のように扉を前開きする消火栓装置を監視員通路に設置した場合には、消火栓扉が開くと建築限界を超えて道路側に飛び出す問題がある。
【０００９】
この問題を解決するため、監視員通路内に消火栓収納箱を埋込み設置し、道路側に面してスライド開閉される前扉を設けると共に、監視員通路面に上向きに開閉される上扉を設けた消火栓収納箱が提案されている。
【００１０】
このように監視員通路に埋込み設置された消火栓収納箱によれば、車両事故による火災の発生時に、利用者は、道路に面した前扉を開くことで、ホース収納部から簡単且つ容易にノズル付きホースを引き出して消火を行うことができる。また、消火栓装置の前に車両が停止して前扉からの操作ができない場合には、監視員通路の上扉を開くことで、停止車両に妨げられることなく、ノズル付きホースを引き出して消火を行うことができる。
【００１１】
ところで、監視員通路に埋込み設置される消火栓収納箱は、監視員通路の横幅が０．７メートル程度であり、消火栓収納箱の横幅は、監視員通路の例えば半分の０．３５メートル程度と狭くなり、消火栓収納箱の中には約３０メートル程度のホースを水平に内巻きして収納している。
【００１２】
また、図２３（Ａ）の概略図に示すように、消火栓収納箱２００に収納されたホース２０２の先端に装着された泡ノズル２０４は、上扉２０６の裏面に横置きに設けられたノズルホルダー２０８に対し横向きに嵌め入れて着脱自在に係止される構造が検討されている。
【００１３】
しかしながら、上扉２０６の裏面に横置き配置されたノズルホルダー２０８に泡ノズル２０４を係止させた場合には、図２３（Ｂ）のように、道路側からの操作により上扉２０６を前開きした場合にはグリップ２０４ａは下向きとなって取出し易いが、監視員通路側からの操作により上扉２０４を後開きした場合には、グリップ２０４ａが逆の上向きとなって違和感があり、泡ノズル２０４の取出しに手間取ることが想定される。
【００１４】
また、上扉２０６を上向きに開放操作させる場合、ノズルホルダー２０８に係止された泡ノズル２０４を連結されたホース２０２と共に持ち上げるように上扉２０６を開かなければならないため、上扉２０６が重くなることで開きにくくなるといった問題もある。
【００１５】
本発明は、上扉の裏面にノズルを着脱自在に係止させても、上扉の開気に対しノズルの姿勢が変化せず、且つ上扉が重くならないようにした消火栓収納箱を提供することを目的とする。
【課題を解決するための手段】
【００１６】
（消火栓収納箱）
本発明は、筐体の内部にノズル付きのホースが収納された消火栓収納箱に於いて、
筐体の上面に形成された上面扉開口に、上下回りに開閉自在に軸支された上扉と、
上扉の裏面に揺動自在に懸架され、ホースの先端に設けられたノズルを着脱自在に係止させるノズルホルダーと、
が設けられたことを特徴とする。
【００１７】
（ノズルホルダー態様１）
ノズルホルダーは、
上扉の裏面に配置された支持部材に、上扉の軸心線と平行な軸心線により揺動自在に軸支されたホルダー本体と、
ホルダー本体の先端に配置され、ノズルを着脱自在に掴む複数本の板ばねによるチャッキ爪が放射状に配置されたチャッキ部と、
により構成される。
【００１８】
（ノズルホルダー態様２）
ノズルホルダーは、
上扉の裏面に配置された支持部材に、上扉の軸心線と平行な軸心線により揺動自在に軸支されたホルダー本体と、
ホルダー本体の先端に配置され、ノズルの逆テーパ先端部を横方向から受け入れて抜け落ちしないように吊り下げ状態に係止させる箱枠状のノズル把持部と、
により構成される。
【００１９】
（箱枠状のノズル把持部）
ノズルホルダーのノズル把持部は、ノズルの逆テーパ先端部を出し入れする開口が左右に形成されると共に下側横方向に逆テーパ先端部の付け根側を通過可能な横幅を持つ下側開口が形成され、下側開口の中央に、横方向から受け入れたノズルの逆テーパ先端部を嵌め込み保持させる円弧状の切欠が形成される。
【００２０】
（ノズルホルダー態様３：３軸自由度）
ノズルホルダーは、
上扉の裏面に配置された支持部材に、上扉の軸心線と平行な第１軸心線により回動自在に軸支された第１ホルダー部材と、
第１ホルダー部材に対し、第１軸心線に直交する第２軸心線回りに回動自在に軸支された第２ホルダー部材と、
第２ホルダー部材に対し、第２軸心線に直交する第３軸心線回りに回動自在に軸支された第３ホルダー部材と、
第３ホルダー部材の先端に配置され、ノズルを着脱自在に掴むチャッキ部と、
により構成される。
【００２１】
（ノズルホルダー態様４：２軸自由度）
ノズルホルダーは、
上扉の裏面に配置された支持部材に、上扉の軸心線と平行な第１軸心線により回動自在に軸支された第１ホルダー部材と、
第１ホルダー部材に対し、第１軸心線に直交する第２軸心線回りに回動自在に軸支された第２ホルダー部材と、
第２ホルダー部材の先端に配置され、ノズルを着脱自在に掴むチャッキ部と、
により構成される。
【００２２】
（チャッキ爪）
チャッキ部は、複数本の板ばねが放射状に配置されたチャッキ爪とする。
【００２３】
（ノズル把持部）
チャッキ部は、ノズルの逆テーパ先端部を横方向から受け入れて抜け落ちしないように吊り下げ状態に係止させる箱枠状のノズル把持部とする。
【００２４】
（上扉の前開き及び後開き構造）
上扉は、筐体の上面扉開口に、上扉の後縁部を軸として上下回りに開閉自在に軸支されると共に、上扉の前縁部を軸として上下回りに開閉自在に軸支される。
【００２５】
（上扉のダブル扉構造）
上扉は、
上面扉開口に、筐体の前縁コーナー部を軸として後開き自在に軸支された第１上扉と、
第１上扉に形成された扉開口に、扉後縁部を軸として前開き自在に軸支された第２上扉と、
により構成され、第２上扉の裏面にノズルホルダーが揺動自在に懸架される。
【発明の効果】
【００２６】
（基本的な効果）
本発明は、筐体の内部にノズル付きのホースが収納された消火栓収納箱に於いて、筐体の上面に形成された上面扉開口に、上下回りに開閉自在に軸支された上扉と、上扉の裏面に揺動自在に懸架され、ホースの先端に設けられたノズルを着脱自在に係止させるノズルホルダーとが設けられたため、上扉の閉鎖状態でノズルは扉裏面にノズルホルダーにより吊り下げられた懸架状態で係止されており、上扉を開いてもノズルはノズルホルダーによる吊り下げられた懸架姿勢を保ったまま、上扉の開放に伴って引き上げられ、上扉の開閉に対しノズルの懸架姿勢が変化せず、上扉を開いた状態でのノズルの取出しを容易に行うことを可能とする。
【００２７】
また、上扉を開いた場合にノズルの懸架姿勢が変化しないことから、上扉を開いた場合のホースの引き上げ量が少なく、上扉裏面に横置き配置したノズルホルダーにノズルを係止していた場合に比べ、ホースの引き上げに伴って上扉に加わる荷重が低減し、上扉を軽い力で開放可能とする。
【００２８】
更に、上扉裏側に設けられたノズルホルダーにノズルが懸架されているため、ノズル後端に連結されたホースは、上扉を開閉しても常にホース収納部に向かって下向きとなっており、水平回りに巻き回したホースの巻き回し終了位置がどのような位置にあっても、大きなホースの変形を起こすことがなく、上扉にノズルがバランス良く懸架されていることで、上扉の開閉が滑らかにできる。
【００２９】
（ノズルホルダー態様１による効果）
また、ノズルホルダーは、上扉の裏面に配置された支持部材に、上扉の軸心線と平行な軸心線により揺動自在に軸支されたホルダー本体と、ホルダー本体の先端に配置され、ノズルを着脱自在に掴む複数本の板ばねによるチャッキ爪が放射状に配置されたチャッキ部とにより構成されたため、支持部材に対するホルダー本体の軸支により、上扉の開閉位置の如何に関わらず、常に、ノズルの懸架姿勢を一定に保つことが可能となり、また、ホルダー本体の先端に設けられたチャッキ部による簡単な構造で、ノズル先端を着脱自在に係止できる。
【００３０】
（ノズルホルダー態様２による効果）
また、ノズルホルダーは、上扉の裏面に配置された支持部材に、上扉の軸心線と平行な軸心線により揺動自在に軸支されたホルダー本体と、ホルダー本体の先端に配置され、ノズルの逆テーパ先端部を横方向から受け入れて抜け落ちしないように吊り下げ状態に係止させる箱枠状のノズル把持部とにより構成され、更に詳細には、ノズルホルダーのノズル把持部は、ノズルの逆テーパ先端部を出し入れする開口が左右に形成されると共に下側横方向に逆テーパ先端部の付け根側を通過可能な横幅を持つ下側開口が形成され、下側開口の中央に、横方向から受け入れたノズルの逆テーパ先端部を嵌め込み保持させる円弧状の切欠が形成されたため、ノズルを切欠き部に挿入する際に、ノズルホルダーに力を加えて変形させることなくノズルを切欠き部に挿入することが出来る。また、支持部材に対するホルダー本体の軸支により、上扉の開閉位置の如何に関わらず、常に、ノズルの懸架姿勢を一定に保つことが可能となり、また、ノズル本体の先端に配置された箱枠状のノズル把持部に対し、ノズル先端を左右いずれかの横方向から嵌め入れることで懸架状態に係止でき、また、上扉を開いた場合には、ノズル把持部に懸架状態で係止しているノズルを、左右何れかの方向に引き外すことで、簡単に取り出すことができる。
【００３１】
（ノズルホルダー態様３による効果）
また、ノズルホルダーは、上扉の裏面に配置された支持部材に、上扉の軸心線と平行な第１軸心線により回動自在に軸支された第１ホルダー部材と、第１ホルダー部材に対し、第１軸心線に直交する第２軸心線回りに回動自在に軸支された第２ホルダー部材と、第２ホルダー部材に対し、第２軸心線に直交する第３軸心線回りに回動自在に軸支された第３ホルダー部材と、第３ホルダー部材の先端に配置され、ノズルを着脱自在に掴むチャッキ部とにより構成されたため、上扉に固定された支持部材とノズルが係止されたチャッキ部との間は、３軸回りの自由度により回動自在に連結されていることから、上扉の開閉に伴うホースが連結されたノズル側の動きに応じてチャッキ部が３軸回りに自由に動き、ノズル先端を掴んでいる複数のチャッキ爪による係止が均一にバランス良く行われ、複数本のチャッキ爪によるノズルの係止力を強くしなくとも、確実にノズルを懸垂状態に係止できる。
【００３２】
また、複数本のチャッキ爪によるノズルの係止力を強くしなくとも確実にノズルを係止できるため、ノズルホルダーに係止しているノズルを軽い力で引き外すことができ、操作性を高めることができる。
【００３３】
また、ノズルを引っ張る方向の自由度が高く、特に、斜め方向への取り回しが可能であることから、より自由度が高く、車道側及び監視員通路側からのノズル取出しが容易にできる。
【００３４】
また、ノズルを取り出すときに、ノズル及びノズルホルダーへの負荷を少なくすることができる。
【００３５】
また、ノズルをホースと共に収納する際に、ホースや筐体内の支柱やガイドパイプ等に影響されない。
【００３６】
また、上扉を開いたときのノズルの取手部分の向きを自由に変更することができ、ノズルの取出しが容易にできる。
【００３７】
また、ノズルをホースと共に収納する際に、ホース終端の位置によるホース長の差を吸収して調整でき、ノズルホルダーに対するノズルの係止を行い易くできる。
【００３８】
（ノズルホルダー態様４による効果）
また、ノズルホルダーは、上扉の裏面に配置された支持部材に、上扉の軸心線と平行な第１軸心線により回動自在に軸支された第１ホルダー部材と、第１ホルダー部材に対し、第１軸心線に直交する第２軸心線回りに回動自在に軸支された第２ホルダー部材と、第２ホルダー部材の先端に配置され、泡ノズルを着脱自在に掴むチャッキ部とにより構成されたため、扉に固定された支持部材とノズルが係止されたチャッキ部との間は、２軸回りの自由度により回動自在に連結されていることから、上扉の開閉に伴うホースが連結されたノズル側の動きに応じてチャッキ部が２軸回りに自由に動き、前述したノズルホルダー態様３よりは少ないが、ノズル先端を掴んでいる複数のチャッキ爪による係止が均一にバランス良く行われ、複数本のチャッキ爪によるノズルの係止力を強くしなくとも、確実にノズルを懸垂状態に係止でき、ノズルホルダーに係止しているノズルを軽い力で引き外すことで操作性を高めることができる。
【００３９】
また、ノズルを引っ張る方向の自由度が高く、また、車の進行方向にノズルを引っ張ることでノズルの係止を容易に解除でき、車道側及び監視員通路側からのノズル取出しが容易にできる。
【００４０】
また、ノズルを取り出すときに、ノズル及びノズルホルダーへの負荷を少なくすることができる。
【００４１】
また、ノズルをホースと共に収納する際に、ホースや筐体内の支柱やガイドパイプ等に影響されない。
【００４２】
また、上扉を開いたときのノズルの取手部分の向きを自由に変更することができ、ノズルの取出しが容易にできる。
【００４３】
また、ノズルをホースと共に収納する際に、ホース終端の位置によるホース長の差を、吸収して調整でき、ノズルホルダーに対するノズルの係止を行い易くできる。
【００４４】
更に、前述したノズルホルダー態様３に比べ、構造が簡単になる。
【００４５】
（チャッキ爪による効果）
チャッキ部は、複数本の板ばねが放射状に配置されたチャッキ爪としたため、複数本のチャッキ爪によるノズルの係止力を強くしなくとも確実にノズルを係止できるため、ノズルホルダーに係止しているノズルを軽い力で引き外すことができ、操作性を高めることができる。
【００４６】
（ノズル把持部による）
チャッキ部は、ノズルの逆テーパ先端部を横方向から受け入れて抜け落ちしないように吊り下げ状態に係止させる箱枠状のノズル把持部としたため、ノズル本体の先端に配置された箱枠状のノズル把持部に対し、ノズル先端を左右いずれかの横方向から嵌め入れることで懸架状態に係止でき、また、上扉を開いた場合には、ノズル把持部に懸架状態で係止しているノズルを、左右何れかの方向に引き外すことで、簡単に取り出すことができる。
【００４７】
（上扉の前開き及び後開き構造による効果）
また、上扉は、筐体の上面扉開口に、上扉の後縁部を軸として上下回りに開閉自在に軸支されると共に、上扉の前縁部を軸として上下回りに開閉自在に軸支されたため、上扉の裏面にノズルホルダーにより懸架されたノズルは、上扉を前開きした場合と後開きした場合の何れについても、ノズルは扉裏面に沿って懸架された同じ姿勢となって利用者の前に出現する。特に、トンネル消火栓においては道路側から上扉を前開きしてノズルを取り出す場合、また、監視員通路側から上扉を後開きしてノズルを取り出す場合のいずれについても、ノズルの姿勢が変化しないことから、違和感なく、簡単且つ容易にノズルを取り出してホースを引き出すことを可能とする。
【００４８】
（上扉のタプル扉構造による効果）
また、上扉は、上面扉開口に、筐体の前縁コーナー部を軸として後開き自在に軸支された第１上扉と、第１上扉に形成された扉開口に、扉後縁部を軸として前開き自在に軸支された第２上扉とにより構成され、第２上扉の裏面にノズルホルダーが揺動自在に懸架されたため、扉裏面のノズルホルダーにより懸架された状態でノズルが利用者の目の前に出現し、ノズルを簡単且つ容易に取り出してホースを引き出すことを可能とする。
【００４９】
特にトンネル消火栓においては、道路側から操作する場合には、扉面積の小さい第２上扉を開くと扉裏面のノズルホルダーにより懸架された状態でノズルが利用者の目の前に出現し、ノズルを簡単且つ容易に取り出してホースを引き出すことを可能とする。
【００５０】
また、第１上扉を監視員通路側から後開きした場合にも、第１上扉と一体に後開きされた第２上扉の扉裏面にノズルホルダーにより懸架された状態でノズルが利用者の目の前に出現し、監視通路側からノズルを簡単且つ容易に取り出してホースを引き出すことを可能とする。
【図面の簡単な説明】
【００５１】
【図１】自動車専用道路のトンネル内に設置された消火栓設備を含むトンネル非常用設備を示した説明図
【図２】通常時における消火栓収納箱の外観を示した説明図
【図３】図２の消火栓収納箱の外観を正面及び平面から示した説明図
【図４】図２の消火栓収納箱の外観を側面から示した説明図
【図５】前開き機構が設けられた消火栓収納箱の前開きハンドルの部分を取り出して示した説明図
【図６】第２上扉を前開きして前扉の落下によりスライド開放させる前開き機構の機構構造を示した説明図
【図７】消火栓収納箱の内部構造を示した説明図
【図８】道路側から操作する場合の前扉と第２上扉の開放操作を示した説明図
【図９】監視員通路側から操作する場合の第１上扉の開放操作を示した説明図
【図１０】ノズルホルダーの第１実施形態を上扉の閉鎖状態について示した説明図
【図１１】第２上扉の前開き状態及び第１上扉の後開き状態での第１実施形態のノズルホルダーによる泡ノズルの懸架状態を取り出して示した説明図
【図１２】ノズルホルダーの第２実施形態を示した説明図
【図１３】ノズルホルダーの第３実施形態を示した説明図
【図１４】第２上扉の前開き状態及び第１上扉の後開き状態での第３実施形態のノズルホルダーによる泡ノズルの懸架状態を取り出して示した説明図
【図１５】第３実施形態のノズルホルダーを前方から見て示した説明図
【図１６】第３実施形態のノズルホルダーを横方向から見て示した説明図
【図１７】一部のホルダー部材が垂直軸回りに回動した状態での第３実施形態のノズルホルダーを横方向から見て示した説明図
【図１８】第４実施形態のノズルホルダーを前方から見て示した説明図
【図１９】第４実施形態のノズルホルダーを横方向から見て示した説明図
【図２０】消火栓収納箱における扉構造の他の実施形態を示した説明図
【図２１】図１３の消火栓収納箱を道路側から操作する場合の前扉と上扉の開放操作を示した説明図
【図２２】図１３の消火栓装置を監視員通路側から操作する場合の上扉の開放操作を示した説明図
【図２３】検討されているノズルホルダーを示した説明図
【発明を実施するための形態】
【００５２】
［トンネル非常用設備の概要］
図１は自動車専用道路のトンネル内に設置された消火栓設備を含むトンネル非常用設備を示した説明図である。図１に示すように、シールド工法により構築されたトンネル１０内は円筒形のトンネル壁面１２により覆われ、床版１８により仕切られることで道路１５が設けられており、この例にあっては、道路１５は１方向２車線としている。
【００５３】
床版１８で仕切られた道路１５の左側のトンネル壁面１２に沿って監視員通路１４が設けられ、監視員通路１４の下側の内部空間はダクト２２として利用され、電線管等が敷設される。監視員通路１４は例えば高さが９０センチメートル、横幅が７０センチメートルといった大きさをもつ。
【００５４】
道路１５が形成された床版１８の下側はトンネル横方向に複数の区画に仕切られており、例えば、監視員通路１４の下に位置する区画は、管理用通路２０として使用され、また、管理用通路２０はトンネル内での火災発生時には、緊急避難通路として使用される。管理用通路２０には給水本管２４が敷設されている。
【００５５】
トンネル１０の長手方向の５０メートルおきには、消火栓設備１６が設置され、消火栓設備１６はホースが収納された消火栓収納箱３０と放水制御機構収納部２６に分離して設置されている。
【００５６】
消火栓収納箱３０は、監視員通路１４の路面及び道路１５側の壁面にかけて箱形に刳り貫かれた消火栓埋込部に配置されている。放水制御機構収納部２６０は、消火栓収納箱３０の下側となる管理用通路２０に配置され、給水本管２４から分岐した分岐管が引き込まれ、また、消火栓収納箱３０に消火用水を供給する給水配管２５が立ち上げられている。
【００５７】
［消火栓設備］
図２は通常時における消火栓収納箱の外観を示した説明図、図３は図２の消火栓収納箱の外観を正面及び平面から示した説明図、図４は図２の消火栓収納箱の外観を側面から示した説明図である。
【００５８】
（消火栓収納箱の外観構造）
図２乃至図４に示すように、消火栓設備１６の消火栓収納箱３０は、監視員通路１４の路面下の内部空間に埋込み設置されている。消火栓収納箱３０は、筐体３１の前面中央の上側に形成された前面扉開口３３に前扉３２が上下方向にスライド自在に配置されている。
【００５９】
また、消火栓収納箱３０の監視員通路１４の路面側となる上面中央に形成された第１上面扉開口３５には、前扉３２と同じ横幅の第１上扉３４が配置されている。更に、第１上扉３４の前側中央には第２上面扉開口３７が形成され、ここに第２上扉３６が配置されている。
【００６０】
第１上扉３４は扉前縁の両側を、筐体３１の上部の前縁コーナー部に配置したヒンジ４６により軸支されており、図４の第１上扉３４ａに示すように、ヒンジ４６を中心に上向きに開放させる後ろ開きができるようにしている。
【００６１】
第２上扉３６は扉後縁を第１上扉３４の第２上面扉開口３７にヒンジ４２により軸支しており、図４の第２上扉３６ａに示すように、ヒンジ４２を中心に上向きに開放させる前開きができるようにしている。
【００６２】
第２上扉３６の前縁にはヒンジ４４により前開きハンドル３８が軸支されており、前開きハンドル３８のハンドル本体に設けられた前開き機構により、第２上扉３６の閉鎖状態で、前扉３２が図示の閉鎖状態に係止されており、利用者が道路１５側から操作する場合には、前開きハンドル３８を開操作すると、第２上扉３６に対する前扉３２の係止が解除され、前扉３２は自重により筐体３１の裏側に落下して前面扉開口３３を開放させ、また、第１上扉３６を前開きすることで、消火栓収納箱３０の第２上面扉開口３７を開放させる。
【００６３】
ここで、第１上扉３４を筐体３１の前縁コーナー部に軸支させるヒンジ４６と、第２上扉３６の前縁に前開きハンドル３８を軸支させるヒンジ４４は、両者の軸心線が同軸となるように配置されており、筐体３１及び前扉３２を閉鎖位置に係止している前開きハンドル３８を固定側として、ヒンジ４４，４６により第２上扉３６と共に第１上扉３４を後開き自在に軸支している。
【００６４】
消火栓収納箱３０の前面左上部には通報装置パネル４８が設けられる。通報装置パネル４８には、赤色表示灯５０及び発信機５２、応答ランプ５４及び電話ジャック５５が設けられている。赤色表示灯５０は常時点灯し、消火栓設備の設置場所が遠方から分かるようにしている。火災時には、発信機５２を押して押し釦スイッチをオンすると、発信信号が監視室の監視センター等に設置された防災受信盤に送信されて火災警報が出され、これに伴い応答信号が防災受信盤から送られて、応答ランプ５４が点灯され、更に、赤色表示灯５０が点滅される。
【００６５】
［前開き機構］
図５は前開き機構が設けられた消火栓収納箱の前開きハンドルの部分を取り出して示した説明図であり、図５（Ａ）は正面を示し、図５（Ｂ）は図５（Ａ）のＸ−Ｘから見た側面を示す。図６は第２上扉を前開きして前扉の落下によりスライド開放させる前開き機構の機構構造を示した説明図であり、図６（Ａ）は閉鎖状態を示し、図６（Ｂ）は前開きハンドルを開操作した状態を示す。
【００６６】
図５に示すように、消火栓収納箱３０の上面に配置された第２上扉３６の先端にヒンジ４４で軸支された前開きハンドル３８のハンドル本体８３ａの両側には、前開き機構の軸部材５６が取り出されおり、第２上扉３６の閉鎖状態で軸部材５６の先端は、前扉３２の裏側に配置された軸受部材５８の軸穴に挿入されており、これにより第２上扉３６に前扉３２が係止され、閉鎖位置に保持されている。
【００６７】
軸部材５６は前開きハンドル３８をリフトアップすると、内側に引き込まれ、軸受部材５８の軸穴から抜けることで、前扉３２の係止が解除され、前扉３２は自重によりスライドしながら落下して前面扉開口３３を開放させる。
【００６８】
図６（Ａ）に示すように、前開き機構６０は、ハンドル本体３８ａ内に、一対の屈曲したリンク６２の一端が移動支点６４で連結され、リンク６２の屈曲位置が回動支点６６としてハンドル本体３８ａ側に固定され、リンク６２の他端はスライド支点７０として、軸部材５６の軸端の支点６８に連結されており、更に、移動支点６４はスプリング７２により図示で上方向に付勢されている。
【００６９】
前開きハンドル３８を操作していない場合、スプリング７２の力を受けて、リンク６２は外側に回動することで、軸部材５６を軸受部材５８の軸穴５８ａに嵌め入れ、２上扉３６に前扉３２を係止させている。
【００７０】
前開きンドル３８をリフトアップすると、図６（Ｂ）に示すように、図示しないリンク機構を介して移動支点６４がスプリング７２に抗して下側に移動し、これによりリンク６２は内側に回動し、軸部材５６を内側に引き込むことで、軸受部材５８の軸穴５８ａから軸部材５６の先端を引き外し、前扉３２の係止が解除され、前扉３２は自重によりスライドしながら落下して前面扉開口３３を開放させる。
【００７１】
なお、前開き機構６０は図６のリンク機構に限定されず、前開きハンドル３２のリフトアップにより軸部材５６を内側に引き込んで軸受部材５８の軸穴５８ａから引き外す適宜のリンク機構が含まれる。
【００７２】
［消火栓収納箱の内部構造］
図７は消火栓収納箱の内部構造を示した説明図であり、図７（Ａ）は正面を示し、図７（Ｂ）は図７（Ａ）のＹ−Ｙ断面から見た平面を示す。
【００７３】
図７に示すように、消火栓収納箱３０における筐体３１の内部下側はホース収納部７４となっており、保形構造のホース７６を水平回りに重ねて内巻きしている。
【００７４】
筐体３１の平面からみた長方形は、横幅は約１．４メートル程度、奥行きは約０．３５メートル程度であることから、ホース収納部７４にホース７６を内巻きした場合、ホース７６の内巻き形状は、２つの平行線と２つの半円からなる角丸長方形となり、平面長方形の筐体３１内に内巻きされたホース７６の１ターンの長さは概ね３．５メートル程度となり、ホース長さは３０メートル以上必要とすることから、ホース７６は９ターン以上重ねて内巻きすればよい。
【００７５】
ここで、筐体３１内に角丸長方形に内巻きされたホース７６を、平行線ホース部分７６ａ，７６ｃ及び半円ホース部分７６ｂ，７６ｄで示している。
【００７６】
筐体３１の中央前面側には、筐体３１内に角丸長方形に内巻きされるホース７６の前面側の平行線部分７６ａを内側に変形させるホースガイド構造８０が設けられる。
【００７７】
ホースガイド構造８０は金属パイプを用いた４本のガイドパイプ８０ａ，８０ｂ，８０ｃ，８０ｄを底板８１に起立させており、両端のガイドパイプ８０ａ，８０ｄは筐体３１の内面に沿って起立され、中央のガイドパイプ８０ｂ，８０ｃは所定長さ内側に離して起立させ、ホース７６をホースガイド構造８０のガイドパイプ８０ａ，８０ｂ，８０ｃ，８０ｄに沿って内巻きすることで、ホース７６の前面側の平行線ホース部分７６ａが内側に変形されて略ひょうたん形に近い形状となり、この変形によりホース７６の変形された平行線ホース部分７６ａには外側に広がろうとする反発力が発生している。
【００７８】
このようなホースガイド構造８０が設けられたことで、筐体３１内に重ねて内巻きされたホース７６は、角丸長円形の平行線ホース部分７６ａがホースガイド構造８０により内側に変形されることで、外側に広がろうとする反発力が発生し、筐体３１の内壁側に押し付ける力が発生することで、重ねて内巻きしたホース７６の平行線ホース部分７６ａ，７６ｃが長くなっても内側に崩れてしまうことを確実に防止可能とする。
【００７９】
ここで、ホースガイド構造８０はホース７６の前面側の平行線ホース部分７６ａを内側に変形させ、背面側の平行ホース部分７６ｃは内側に変形させていないが、平行線ホース部分７６ａの内側へ変形により、ホース７６全体として外側に広がろうとする力が増加し、内側に変形させていない背面側の平行ホース部分７６ｃについても、内側に崩れてしまうことを確実が防止可能となる。
【００８０】
また、前扉３２及び第２上扉３６又は第１上扉３４を開いてホース７６を外部に引き出す場合には、ホース７６の半径ホース部分７６ｂ，７６ｄの変形によるホースを押し出そうとする力に加え、ホース７６の平行線ホース部分７６ａについても、ホースガイド構造８０による内側への変形でホース７６を押し出そうとする力が発生し、ホース６０の引き出し力を低減可能とする。
【００８１】
ホースガイド構造８０の上部には、図１及び図２に示した前面扉開口３３、第１上面扉開口３５及び第２上面扉開口３７の内側を囲むように、ガイドパイプ８２ａ〜８２ｄ及びガイドパイプ８４ａ，８４ｂが配置され、ホース７６を外部に引き出す際にガイドパイプ８２ａ〜８２又はガイドパイプ８４ａ，８４ｂに摺接させることで、ホース７６の損耗を防止すると共にホース引き出し力を低減させている。
【００８２】
また、第２上扉３６の裏面にはノズルホルダー８６によりホース７６の先端に連結された泡ノズル７８が着脱自在に係止されている。本実施形態のノズルホルダー８６は、泡ノズル７８を第２上扉３６の裏面に軸支して懸垂状態に吊り下げる懸架構造により係止しており、第１２上扉３６を図４の上扉３６ａに示すように前開きした場合、又は、１上扉３４を第２上扉３６と一体に図４の第１上扉３４ａに示すように後ろ開きした場合にも、第２上扉３６の扉裏面にノズルホルダー８６が泡ノズル７８を懸垂した状態で係止している。
【００８３】
このため第２上扉３６を前開き又は第１上扉３４を第２上扉３６と共に後開きすると、扉裏面に懸垂状態に保持されている泡ノズル７８が消火栓収納箱３０の上部に現れることになる。
【００８４】
第２上扉３６の前開きで扉裏面に保持されている泡ノズル７８が現れる位置は、路面１５から概ね０．９〜１．３メートルの範囲のいずれかとなり、これは路面１５に立った利用者の腰から肩までの範囲に相当し、目の前に泡ノズル７８が出現することから、泡ノズル７８の取出しが容易にできる。
【００８５】
また、第１上扉３４の後開きで扉裏面に保持されている泡ノズル７８が現れる位置は、監視員通路１４の路面から概ね０．２〜０．４メートルの範囲のいずれかとなり、監視員通路１４に体をかがめて後開きハンドル４０を操作している利用者の目の前に泡ノズル７８が出現し、利用者は監視員通路１４側からノズル７８を容易に取り出すことができる。
【００８６】
また、筐体３１の上面開口の右側内部には操作箱が配置され、操作箱には消火栓弁開閉レバーが設けられ、操作箱の内部に設けられている手動パイロット弁を開閉操作させるようにしているが、図示を省略している。消火栓弁開閉レバーを開操作すると、手動パイロット弁が開放され、図１に示した放水制御機構収納部２６に分離配置された消火栓弁を遠隔的に開放させることができる。
【００８７】
また、操作箱や手動パイロット弁、消火栓開閉レバーのうち、１または複数をホースガイド構造８０によって確保される空きスペースに配置しても良い。また、手動パイロット弁と消火栓開閉レバー間の接続部材や、手動パイロット弁から消火栓弁までの配管の一部を空きスペースに配置しても良い。
【００８８】
上記のように空きスペースに適宜の部材を配置することで、スペースの限られる監視員通路に配置される消火栓収納箱の空間を有効活用することができる。
【００８９】
［道路側から第２上扉及び前扉を開放させる操作］
図８は道路側から操作する場合の前扉と第２上扉の開放操作を示した説明図である。
【００９０】
図８に示すように、利用者が道路側から消火栓収納箱３０を操作する場合には、前開きハンドル３８をリフトアップすると、前扉３２の係止が解除され、前扉３２は自重によりスライド落下し、前面扉開口３３が開放される。
【００９１】
続いて、利用者が第２上扉３６を奥行方向に開く前開き操作を行うと、図６（Ａ）（Ｂ）に示したように、ハンドル本体３８ａの両側に配置されている軸部材５６が前扉３２の裏面の軸受部材５８から抜き出され、第２上扉３６はヒンジ４２を中心に前開きされ、第２上面扉開口３７が開放される。
【００９２】
このとき図７（Ａ）に示したように、第２上扉３６の裏側に配置されているノズルホルダー８６は、道路にいる利用者の目の前に位置し、ノズルホルダー８６に係止されている泡ノズル７８が利用者の目の前に出現し、容易に泡ノズル７８を取り出してホース７６を引き出すことができる。
【００９３】
［監視員通路側から上扉を開放させる操作］
図９は監視員通路側から操作する場合の第１上扉の開放操作を示した説明図である。
【００９４】
図９に示すように、利用者が監視員通路側から消火栓収納箱３０を操作する場合には、利用者が監視員通路から体をかがめて後開きハンドル４０をリフトアップすると、第１上扉３４の後縁側の筐体３１側に対する係止が解除され、前縁コーナー部のヒンジ４６を中心に、第１上扉３４は後開きされ、第１上面扉開口３５が開放される。
【００９５】
このとき第１上扉３４と一体に第２上扉３４もヒンジ４４を中心に後開きされ、ヒンジ４４で軸支された前開きハンドル３８は動くことがなく、前開きハンドル３８に設けられた図６に示した前開き機構６０の軸部材５６の先端は前扉３２の裏面に配置された軸部材５８の軸穴５８ａに嵌め込まれた状態を維持しており、前扉３２の閉鎖状態への係止を保持したまま、第２上扉３６は第１上扉３４と一体に後開きされる。
【００９６】
第１上扉３４の後開きにより第１上面扉開口３５が開放されると、図６（Ａ）に示したように、第２上扉３６の裏側に配置されているノズルホルダー８６に係止された泡ノズル７８が、監視員通路で体をかがめている利用者の目の前に出現し、容易にノズル７８を取り出してホース７６を引き出すことができる。
【００９７】
［ノズルホルダーの第１実施形態］
図１０はノズルホルダーの第１実施形態を上扉の閉鎖状態について示した説明図であり、図１０（Ａ）は正面を示し、図１０（Ｂ）は側面を示す。また、図１１は第２上扉の前開き状態（図１１（Ａ））及び第１上扉の後開き状態（図１１（Ｂ））での第１実施形態のノズルホルダーによる泡ノズルの懸架状態を取り出して示した説明図である。
【００９８】
図１０に示すように、本実施形態のノズルホルダー８６Ａは、第２上扉３６の裏面に配置された支持部材８８に、図８に示したように、ヒンジ４２による第２上扉３６の軸心線と平行な軸心線９６によりホルダー本体９０が軸ピン９４により揺動自在に設けられており、ホルダー本体９０の先端には、泡ノズル７８の逆テーパ先端部７８ａを着脱自在に掴む屈曲された複数本の板ばねを用いたチャッキ爪９２ａが放射状に配置されたチャッキ部９２が設けられている。
【００９９】
このように閉鎖状態にある第２上扉３６の裏面にノズルホルダー８６Ａによりノズル７８が着脱自在に吊り下げられており、図７（Ａ）に示したように、泡ノズル７８後端に連結されたホース７６はホース収納部７４に向かって下向きとなっており、図７（Ｂ）に示すように、水平回りに巻き回したホース７６の巻き回し終了位置がどのような位置にあっても、大きなホース７６の変形を起こすことがなく、第２上扉３６の前開きによる開閉及び第２上扉３６と一体となった第１上扉３４の後開きによる開閉が滑らかにできる。
【０１００】
図１１（Ａ）は、利用者による道路側からの操作により第２上扉３６を前開きした状態であり、このとき前扉３２は係止が解除されることでスライド落下して開いている。第２上扉３６を図示の位置に前開きすると、第２上扉３６の開きに伴い扉裏面に固定されたノズルホルダー８６Ａの支持部材８８の動きに対し、軸ピン９４で軸支されたホルダー本体９０はチャッキ部９２のチャッキ爪９２ａに係止して吊り下げている泡ノズル７８及びホース７６の重量を受けて下向きに吊り下げられた懸架姿勢を維持しており、この懸架姿勢のまま泡ノズル７８が上側に引き上げられ、道路側から操作している利用者の目の前に泡ノズル７８が出現し、第２上扉３６を開いた状態での泡ノズル７８の取出しを容易に行うことを可能とする。
【０１０１】
ノズルホルダー８６Ａからの泡ノズル７８の取外しは、泡ノズル７８を下に引くことでチャッキ部９２のチャッキ爪９２ａから抜き出すことができる。なお、消火栓を使用した後の復旧時には、ノズルホルダー８６Ａのチャッキ部９２のチャッキ爪９２ａに対し泡ノズル７８の先端を下から押し込むことで係止させることができる。
【０１０２】
図１１（Ｂ）は、利用者による監視員通路側からの操作により、第２上扉３６を一体化した状態で第１上扉３４を後開きした状態である。第１上扉３４を図示の位置に後開きすると、第２上扉３６の開きに伴い扉裏面に固定されたノズルホルダー８６Ａの支持部材８８の動きに対し、軸ピン９４で軸支されたホルダー本体９０はチャッキ部９２のチャッキ爪９２ａに係止して吊り下げている泡ノズル７８及びホース７６の重量を受けて下向きに吊り下げられた懸架姿勢を維持しており、この懸架姿勢のまま泡ノズル７８が上側に引き上げられ、体をかがめて監視員通路側から操作している利用者の目の前に泡ノズル７８が出現し、第１上扉３４を開いた状態での泡ノズル７８の取出しを容易に行うことを可能とする。
【０１０３】
図７及び図１１に示すように泡ノズル７８の取手が横向きになるように懸架されることが好適である。泡ノズル７８の取手が横向きになるように懸架されることで、扉がどちらの方向から開かれたとしても泡ノズル７８の取手が奥側に行かないようにすることが出来る。泡ノズル７８の取手が横向きになるように懸架されるようにするために、上扉裏面に懸架方法を指示する旨を表示したり、ノズル先端に印をつけたり、ノズルの取手が横向きであるときのみロックするような機構を設けるようにしても良い。
【０１０４】
また、上扉開放時に扉をロックする機構を設けても良い。扉をロックすることで、泡ノズル７８を取り出す際に泡ノズル７８を引き下ろす力により上扉が閉まることを防止することが出来る。
【０１０５】
また、ノズルホルダー８６Ａのチャッキ部９２のチャッキ爪９２ａにより泡ノズル７８を保持する力は、泡ノズル７８及び上扉開放時に浮く部分のホース７６の重量に耐えられるものである。
【０１０６】
また、泡ノズル７８及び上扉開放時に浮く部分のホース７６の重量と泡ノズル７８の取り出しを行う引き降ろし力との合計により保持を解除できるものとする。
【０１０７】
また、チャッキ部９２のチャッキ爪９２ａに泡ノズル７８が下から押し込まれる際にオンするスイッチを設け、当該スイッチを解除することでノズルの把持力が解除されるような仕組みを設けても良い。
【０１０８】
［ノズルホルダーの第２実施形態］
図１２はノズルホルダーの第２実施形態を示した説明図であり、図１２（Ａ）は正面を示し、図１２（Ｂ）は側面を示し、図１２（Ｃ）に箱枠状のノズル把持部を下側から見た平面を示す。
【０１０９】
図１２に示すように、本実施形態のノズルホルダー８６Ｂは、第２上扉３６の裏面に配置された支持部材８８に、図８に示したように、ヒンジ４２による第２上扉３６の軸心線と平行な軸心線９６によりホルダー本体９０が軸ピン９４により揺動自在に設けられている点は図１１の実施形態と同じであるが、ホルダー本体９０の先端には箱枠状のノズル把持部９８が設けられている。
【０１１０】
ノズル把持部９８は、泡ノズル７８の逆テーパ先端部７８ａを出し入れする開口が左右に形成されると共に下側横方向に逆テーパ先端部７８ａの付け根側を通過可能な横幅を持つ下側開口９８ａが形成され、下側開口９８ａの中央に、横方向から受け入れた泡ノズル７８の逆テーパ先端部７８ａを嵌め込み保持させる円弧状の切欠９８ｂが形成されている。
【０１１１】
このような本実施形態のノズルホルダー８６Ｂよれば、扉裏面の支持部材８８に対する軸ピン９４によるホルダー本体９０の軸支により、第１上扉３４の開閉位置の如何に関わらず、常に、泡ノズル７８の懸架姿勢を一定に保つことが可能となり、第２上扉３６と一体となった第１上扉３４の後開きによる開閉が滑らかにできる。
【０１１２】
また、ノズル本体９０の先端に配置された箱枠状のノズル把持部９８に対し、泡ノズル７８の逆テーパ先端部７８ａを左右いずれかの横方向から嵌め入れることで懸架状態に係止でき、また、第１上扉３４を開いた場合には、ノズル把持部９８に懸架状態で係止している泡ノズル７８を、左右何れかの方向に引き外すことで、簡単に取り出すことができる。
【０１１３】
逆テーパ先端部分７８ａは付け根側より先端部の径が広い構造である。円弧状の切欠９８ｂは逆テーパ先端部分７８ａの付け根側よりも広く、逆テーパ先端部分７８ａの先端部よりも狭い構造である。また、下側開口９８ａは逆テーパ先端部７８ａの付け根側を通過可能な横幅を持つので、下側開口９８ａより逆テーパ先端部分７８ａを通して切欠９８ｂまで挿入し、泡ノズル７８から手を放すなどして解放することで、切欠９８ｂと逆テーパ先端部７８ａの径が等しくなる場所までノズルが落下し、ノズルが嵌め込み保持される。これにより、水平方向と下方向への動きが規制され、上向きの動きもノズル自身の重さにより規制される。
【０１１４】
泡ノズル７８を取り出す時は、泡ノズル７８を上にずらし、下側開口９８ａの横幅よりも逆テーパ先端部７８ａが小さくなる高さまで泡ノズル７８を持ち上げることで、下側開口９８ａから泡ノズル７８を取り出すことが出来る。また、逆テーパ先端部はヒョウタンのような高さ方向において途中が凹形状となるものを用いても良い。この場合、下側開口９８ａは逆テーパ先端部７８ａの凹部を通過可能な横幅を持つようにすればよい。
【０１１５】
図１２に示すように泡ノズル７８の取手が横向きになるように懸架されることが好適である。泡ノズル７８の取手が横向きになるように懸架されることで、扉がどちらの方向から開かれたとしても泡ノズル７８の取手が奥側に行かないようにすることが出来る。泡ノズル７８の取手が横向きになるように懸架されるようにするために、上扉裏面に懸架方法を指示する旨を表示したり、ノズル先端に印をつけたりしても良い。また、ノズル把持部９８のうち、切欠９８ｂの周囲から下向きに、逆テーパ先端部７８ａから取手までの高さ分程度の長さを有するガイドを設けるようにしても良い。
【０１１６】
［ノズルホルダーの第３実施形態］
図１３はノズルホルダーの第３実施形態を示した説明図であり、図１３（Ａ）は筐体前面及び前扉の一部を破断して内部の正面を示し、図１３（Ｂ）は横方向から見た断面を示す。また、図１４は第２上扉の前開き状態（図１４（Ａ））及び第１上扉の後開き状態（図１４（Ｂ））でのノズルホルダーによる泡ノズルの懸架状態を取り出して示した説明図である。また、図１５はノズルホルダーの第３実施形態を上扉の開放状態で前方から見て示した説明図、図１６は第３実施形態のノズルホルダーを横方向から見て示した説明図、図１７は一部のホルダー部材が垂直軸回りに回動した状態での第３実施形態のノズルホルダーを横方向から見て示した説明図である。
【０１１７】
（３軸自由度を持つノズルホルダーの構成）
図１５乃至図１７に示すように、本実施形態のノズルホルダー８６Ｃは、支持部材１２０、第１ホルダー部材１２４、第２ホルダー部材１２８、第３ホルダー部材１３２及びチャッキ部１３８で構成される。
【０１１８】
支持部材１２０は、取付部１２０ｂの前方に２枚の支持アーム１２０ａが延在されており、第２上扉３６の裏面にボルト１２１とナット１２２により取付部１２０ｂが締め付け固定されている。
【０１１９】
支持アーム１２０ａの先端側の軸穴には軸ピン１２６により第１ホルダー部材１２４が第１軸心線１４０回りに回動自在に軸支されている。第１ホルダー部材１２４は、上向きに開いた断面コ字形の部材である。ここで、軸ピン１２６の第１軸心線１４０は、図８に示したヒンジ４２による第２上扉３６の軸心線と平行になる。
【０１２０】
第１ホルダー部材１２４の下には、ボルト軸１３０とナット１３１により第２ホルダー部材１２８が第２軸心線１４２回りに回動自在に軸支されている。第２ホルダー部材１２８は、下向きに開いた断面コ字形の部材であり、また、第２軸心線１４２は第１軸心線１４０に直交している。
【０１２１】
第２ホルダー部材１２８の下には、軸ピン１３４により第３ホルダー部材１３２が第３軸心線１４４回りに回動自在に軸支されている。第２ホルダー部材１２８は、下向きに開いた断面コ字形の部材であり、また、第３軸心線１４４は第２軸心線１４２に直交している。
【０１２２】
第３ホルダー部材１３２の下側にはリベット１３６によりチャッキ部１３８が固定されている。チャッキ部１３８は、ほぼ「フの字」形に形成された４本の板ばねによるチャッキ爪１３８ａが放射状に配置されており、チャッキ爪１３８ａに対し下側から泡ノズル７８の逆テーパ先端部７８ａを嵌め入れることで、ノズル７８を吊り下げた懸架状態で着脱自在に係止している。
【０１２３】
このような本実施形態のノズルホルダー８６Ｃは、固定側となる支持部材１２０に対しチャッキ部１３８が、第１ホルダー部材１２４、第２ホルダー部材１２８及び第３ホルダー部材１３２を介して、軸ピン１２６、ボルト軸１３０及び軸ピン１３４による第１乃至第３軸心線１４０，１４２，１４４による３軸回りに回動自在に連結されている。即ち、本実施形態のノズルホルダー８６Ｃは、固定側となる第２上扉３６の裏面に、泡ノズル７８が係止されるチャッキ部１３８を３軸自由度をもつフリーな状態で吊下げている。
【０１２４】
また、固定側となる支持部材１２０に対しチャッキ部１３８が、３軸自由度をもつ第１ホルダー部材１２４、第２ホルダー部材１２８及び第３ホルダー部材１３２を介してフリーな状態で吊下げられているため、扉開閉に伴うホース７６が連結された泡ノズル７８の動きに応じてチャッキ部１３８が３軸回りに自由に動き、ノズル先端の逆テーパ先端部７８ａを掴んでいる複数のチャッキ爪１３８ａによる係止が均一にバランス良く行われ、４本のチャッキ爪１３８ａによる泡ノズル７８の係止力をそれほど強くしなくとも、確実に泡ノズル７８を吊下げ状態に係止できる。
【０１２５】
また、チャッキ爪１３８ａによる泡ノズル７８の係止力を強くしなくとも確実に泡ノズル７８を着脱自在に係止できるため、ノズルホルダー８６Ｃに係止している泡ノズル７８を軽い力で引き外すことができ、操作性を高めることができる。
【０１２６】
（上扉の閉鎖状態）
図１３及び図１４に示すように、第２上扉３６が閉鎖された通常状態にあっては、閉鎖されている第２上扉３６の裏面に固定された支持部材１２０は支持アーム１２０ａを下向きとしており、その下に３軸自由度を持って連結された第１ホルダー部材１２４、第２ホルダー部材１２８及び第３ホルダー部材１３２を介してチャッキ部１３８が吊下げられており、チャッキ部１３８の４本のチャッキ爪１３８ａに泡ノズル７８の逆テーパ先端部７８ａが嵌め込まれ、泡ノズル７８及びホース７６の重量を受けて吊下げられた状態に係止されている。
【０１２７】
このように閉鎖状態にある第２上扉３６の裏面にノズルホルダー８６Ｃにより泡ノズル７８が着脱自在に吊り下げられた状態では、図７（Ａ）に示したと同様に、泡ノズル７８の後端に連結されたホース７６はホース収納部７４に向かって下向きとなっており、図７（Ｂ）に示すように、水平回りに巻き回したホース７６の巻き回し終了位置がどのような位置にあっても、大きなホース７６の変形を起こすことがなく、第２上扉３６の前開きによる開閉及び第２上扉３６と一体となった第１上扉３４の後開きによる開閉が滑らかにできる。
【０１２８】
（上扉の開放状態）
図１４（Ａ）は、利用者による道路側からの操作により第２上扉３６を前開きした状態であり、このとき前扉は係止が解除されることでスライド落下して開いている。第２上扉３６を図示の位置に前開きすると、第２上扉３６の開きに伴い扉裏面に固定されたノズルホルダー８６Ｃの支持部材１２０の動きに対し、３軸自由度を持つ第１ホルダー部材１２４、第２ホルダー部材１２８及び第３ホルダー部材１３２を介してフリー状態に支持されているチャッキ部１３８に係止された泡ノズル７８が上側に引き上げられ、道路側から操作している利用者の目の前に泡ノズル７８が出現し、第２上扉３６を開いた状態での泡ノズル７８の取出しを容易に行うことを可能とする。
【０１２９】
ノズルホルダー８６Ｃからの泡ノズル７８の取外しは、固定側となる支持部材１２０に対しチャッキ部１３８がフリー状態で吊り下げられていることから、泡ノズル７８を手前から下向きに引くことで、簡単にチャッキ部１３８のチャッキ爪１３８ａから取り外すことができる。なお、消火栓を使用した後の復旧時には、ノズルホルダー８６Ｃのチャッキ部１３８に対し泡ノズル７８の先端を下から押し込むことで、簡単に係止させることができる。
【０１３０】
図１４（Ｂ）は、利用者による監視員通路側からの操作により、第２上扉３６を一体化した状態で第１上扉３４を後開きした状態である。第１上扉３４を図示の位置に後開きすると、第２上扉３６の扉裏面に固定されたノズルホルダー８６Ｃの支持部材１２０の動きに対し、３軸自由度を持つ第１ホルダー部材１２４、第２ホルダー部材１２８及び第３ホルダー部材１３２を介してフリー状態に支持されているチャッキ部１３８に係止された泡ノズル７８が上側に引き上げられ、体をかがめて監視員通路側から操作している利用者の目の前に泡ノズル７８が出現し、第１上扉３４を開いた状態での泡ノズル７８の取出しを容易に行うことを可能とする。
【０１３１】
ここで、第２上扉３６の裏面に対するノズルホルダー８６Ｃの配置は、第２上扉３６の前後の中心位置より奥行側となる位置に支持部材１２０を固定して配置されており、このため図１４（Ａ）のように、第２上扉３６を一体化した状態で第１上扉３４を後開きした場合、図１４（Ａ）に示した前開きした場合に比べ、それより高い位置にノズルホルダー８６Ｃが引き上げられ、監視員通路側からの泡ノズルの取出しを容易にしている。
【０１３２】
また、図１４（Ｂ）に示すように、第１上扉３４を後開きしたときの泡ノズル７８の少なくとも一部の位置が、図１３（Ａ）に示す第２上扉３６を前開きしたときの泡ノズル３６の少なくとも一部の位置より高くなるように構成していることで、監視員通路側からの操作者による泡ノズル３６の取出しを行い易くしている。
【０１３３】
また、図１１の第１実施形態では支持部材８８を第２上扉３６の裏面中央に設けているが、支持部材８８を図１４の第３実施形態と同様に、第２上扉３６の裏面の奥行側に設けることで、第１上扉３４を後開きしたときの泡ノズル７８の少なくとも一部の位置が、第２上扉３６を前開きしたときの泡ノズル３６の少なくとも一部の位置より高くなるように構成することとなり、監視員通路側からの操作者による泡ノズル３６の取出しを行い易くできる。
【０１３４】
また、ノズルホルダー８６Ｃの第２上扉３６の裏面の配置を、扉前後方向の中心位置とすることで、図１１の第１実施形態と同様に、第２上扉３６を前開きした場合と第２上扉３６を一体化した状態で第１上扉３４を後開きした場合のノズルホルダー８６Ｃの引上げ位置が同じ高さとなるようにしても良い。
【０１３５】
また、図１４乃至図１７に示した第３実施形態のチャッキ部１３８を、図１２及び図１３に示した第２実施形態におけるノズル把持部９８としても良い。
【０１３６】
［ノズルホルダーの第４実施形態］
図１８はノズルホルダーの第４実施形態のノズルホルダーを前方から見て示した説明図、図１９はノズルホルダーの第４実施形態のノズルホルダーを横方向から見て示した説明図である。
【０１３７】
（２軸自由度を持つノズルホルダーの構成）
図１８及び図１９に示すように、本実施形態のノズルホルダー８６Ｄは、支持部材１２０、第１ホルダー部材１２４、第２ホルダー部材１４６及びチャッキ部１３８で構成される。
【０１３８】
支持部材１２０は、取付部１２０ｂの前方に２枚の支持アーム１２０ａが延在されており、第２上扉３６の裏面にボルト１２１とナット１２２により取付部１２０ｂを締め付け固定されている。
【０１３９】
支持アーム１２０ａの先端側の軸穴には軸ピン１２６により第１ホルダー部材１２４が第１軸心線１４０回りに回動自在に軸支されている。第１ホルダー部材１２４は、図８に示したヒンジ４２による第２上扉３６の軸心線と平行になる。
【０１４０】
第１ホルダー部材１２４の下には、ボルト軸１３０とナット１３１により第２ホルダー部材１４６が垂直方向の第２軸心線１４２回りに回動自在に軸支されている。第２ホルダー部材１４６は、横に開いた断面矩形の部材であり、また、第２軸心線１４２は第１軸心線１４０と直交している。
【０１４１】
第２ホルダー部材１４６の下側にはリベット１３６によりチャッキ部１３８が固定されている。チャッキ部１３８は、４本の板ばねによるチャッキ爪１３８ａが放射状に配置されており、チャッキ爪１３８ａに対し下側から泡ノズル７８の逆テーパ先端部７８ａを嵌め入れることで、泡ノズル７８を吊り下げた状態で着脱自在に係止している。
【０１４２】
このような本実施形態のノズルホルダー８６Ｃは、固定側となる支持部材１２０に対しチャッキ部１３８が、第１ホルダー部材１２４及び第２ホルダー部材１４６を介して、軸ピン１２６及びボルト軸１３０による第１及び第２軸心線１４０，１４２による２軸回りに回動自在に連結されている。即ち、本実施形態のノズルホルダー８６Ｄは、固定側となる第２上扉３６の裏面に、泡ノズル７８を係止するチャッキ部１３８が２軸自由度をもって吊下げられている。
【０１４３】
また、固定側となる支持部材１２０に対しチャッキ部１８８が、２軸自由度をもつ第１ホルダー部材１２４及び第２ホルダー部材１４６を介して２軸回りにフリーな状態で吊下げられているため、扉開閉に伴うホース７６が連結された泡ノズル７８の動きに応じてチャッキ部１３８が２軸回りに自由に動き、ノズル先端の逆テーパ先端部７８ａを掴んでいる複数のチャッキ爪１３８ａによる係止が均一にバランス良く行われ、４本のチャッキ爪１３８ａによる泡ノズル７８の係止力をそれほど強くしなくとも、確実に泡ノズル７８を懸垂状態に係止できる。
【０１４４】
また、チャッキ爪１３８ａによる泡ノズル７８の係止力を強くしなくとも確実に泡ノズル７８を着脱自在に係止できるため、ノズルホルダー８６Ｄに係止している泡ノズル７８を軽い力で引き外すことができ、操作性を高めることができる。
【０１４５】
利用者が道路側からの操作により第２上扉３６を前開きした場合には、第２上扉３６の開きに伴い扉裏面に固定されたノズルホルダー８６Ｄの支持部材１２０の動きに対し、２軸自由度を持つ第１ホルダー部材１２４及び第２ホルダー部材１４６を介してフリー状態に支持されているチャッキ部１３８に係止された泡ノズル７８が上側に引き上げられ、道路側から操作している利用者の目の前に泡ノズル７８が出現し、第２上扉３６を開いた状態での泡ノズル７８の取出しを容易に行うことを可能とする。
【０１４６】
また、利用者による監視員通路側からの操作により第２上扉３６を一体化した状態で第１上扉３４を後開きした場合には、第２上扉３６の開きに伴い扉裏面に固定されたノズルホルダー８６Ｄの支持部材１２０の動きに対し、２軸自由度を持つ第１ホルダー部材１２４及び第２ホルダー部材１４６を介してフリー状態に支持されているチャッキ部１３８に係止された泡ノズル７８が上側に引き上げられ、体をかがめて監視員通路側から操作している利用者の目の前に泡ノズル７８が出現し、第１上扉３４を開いた状態での泡ノズル７８の取出しを容易に行うことを可能とする。
【０１４７】
また、図１８及び図１９の第３実施形態のチャッキ部１３８を、図１２及び図１３に示した第２実施形態におけるノズル把持部９８としても良い。
【０１４８】
［扉開閉構造の他の実施形態］
図２０は消火栓収納箱における扉構造の他の実施形態を示した説明図、図２１は図２０の消火栓収納箱を道路側から操作する場合の前扉と上扉の開放操作を示した説明図、図１５は図１３の消火栓装置を監視員通路側から操作する場合の上扉の開放操作を示した説明図である。
【０１４９】
（上扉の前開き構造）
図２０に示す本実施形態の扉開閉構造は、図２の上扉を第１上扉３４と第２上扉３６に分けた実施形態に対し、上扉１００を一枚扉とし、上扉１００を前開き及び後開き自在に軸支させたことを特徴とする。
【０１５０】
利用者が道路側から操作する場合には、前開きハンドル３８を操作すると、前扉３２の係止が解除されてスライド落下し、図１４に示すように開放される。
【０１５１】
また、上扉１００は前開きハンドル３８を持って上向きに開くことで開放され、このとき上扉１００の裏面に配置されたノズルホルダー８６が利用者の目の前に出現する。なお、ノズルホルダー７８係止されている泡ノズルは図示を省略している。
【０１５２】
上扉１００に対する前扉３２の係合は、図５及び図６に示したと同じ構造であり、利用者が監視員通路側から操作する場合には、前開きハンドル３８を操作するとハンドル本体３８ａの両側に取り出された軸部材５０が引き込まれ、前扉３２の裏面に配置された軸受け部材５８の軸穴から抜けることで、前扉３２との係止が解除され、前扉３２のスライド落下による開放及び上扉１００の開放ができる。
【０１５３】
上扉１００を前開きするための構造は、図１４に示すように、上扉１００の後開きハンドル１０２のハンドル本体１０２ａから両側に軸部材１０４が取り出され、軸部材１０４の先端は筐体３１に固定された軸受け部材１０６の軸穴に嵌め入れられている。この構造は図５及び図６に示した前開きハンドル３８側と同じ開閉構造となる。
【０１５４】
このため上扉１００は、後開きハンドル１０２の軸部材１０４を筐体３１側の軸受け部材１０６に嵌め入れて軸支させることで、両者の軸心線を中心に上下方向に開閉される。
【０１５５】
（上扉の後開き構造）
図２０の消火栓収納箱３０を利用者が監視員通路側から操作する場合には、後開きハンドル１０２を操作すると、筐体３１側との係止が解除され、上扉１０を図２２に示すように後開きすることができる。このとき上扉１００の裏面に配置されたノズルホルダー８６が、体をかがめている利用者の目の前に出現する。
【０１５６】
上扉１００を後開きするための開閉構造は、図２１に示すように、上扉１００の前縁両側の裏面側に軸部材１１０が支持され、これに対応して筐体３１の上面扉開口１１２の前縁両側に、上方に開口した半円筒状の軸受け部材１０８が固定配置され、軸受け部材１０８に上扉１００の軸部材１１０が嵌め入れられた状態で、両者の軸心線を中心に、上扉１００が後開き可能に軸支されている。
【０１５７】
また、上扉１００の前縁中央に設けられた前開き操作ハンドル３８は、軸部材５６の先端が前扉３２の内側の軸部材５８に挿入されていることで、前扉３２を閉鎖状態に係止したまま、上扉１００の後開きを可能としている。
【０１５８】
このような図２０乃至図２２に示す扉開閉構造の消火栓収納箱３０についても、上扉１００の閉鎖状態で泡ノズルは扉裏面にノズルホルダー８６により吊り下げられた懸架状態で係止されており、上扉１００を前開き及び後開きしても、泡ノズルはノズルホルダー８６による吊り下げられた懸架姿勢を保ったまま、上扉１００の開放に伴って引き上げられ、上扉１００の開閉に対しノズルの姿勢が変化せず、上扉１００を開いた状態でのノズルの取出しを容易に行うことを可能とする。
【０１５９】
［本発明の変形例］
（ノズルホルダー）
上記の実施形態に示したノズルホルダーにより泡ノズルを着脱自在に係止する爪部又は箱枠状のノズル把持部は一例であり、扉裏面に泡ノズルを懸架状態で着脱自在に係止する構造であればよく、適宜の構造とすることができる。
【０１６０】
（２軸自由度また３軸自由度のノズルホルダー）
上記の実施形態は、上扉裏面に固定された支持部材に対し軸ピンとコ字形のホルダー部材の多段連結によりチャッキ部の２軸自由度又は３軸自由度を実現しているが、これに限定されず、例えば、上扉裏面に固定された支持部材に対しボールジョイントを介してチャッキ部を揺動自在に連結することで、２軸自由度又は３軸自由度を実現するようにしても良い。
【０１６１】
（泡消火栓設備）
上記の実施形態は、消火泡を放出させる泡消火栓設備を例にとっているが、これに限定されず、消火用水を放水させる消火栓設備としても良い。
【０１６２】
（その他）
上記の実施形態は、前扉を有する消火栓設備を例にとっているが、これに限定されず、前扉を有さない構造としても良い。
【０１６３】
また、上記の実施形態は、トンネル消火栓を例にとっているが、一般の道路に埋め込まれた消火栓に用いても良い。また、消火栓収納箱を埋め込まずに露出するようにしても良い。露出型の消火栓収納箱に用いる場合、上扉を開きやすく、ノズルを取り出す易くするために上扉が１メートル程度の高さに来るようにすることが好適である。また、例えば高さの異なる2つの通路面や、例えば体育館や舞台などの壇上とその下のような、それぞれ人が歩行可能な高さの異なる面とその面に接する壁面において本願消火栓収納箱を適用しても良い。
【０１６４】
また本発明は、その目的と利点を損なうことのない適宜の変形を含み、更に、上記の実施形態に示した数値による限定は受けない。
【符号の説明】
【０１６５】
１０：トンネル
１２：トンネル壁面
１４：監視員通路
１５：道路
１６：消火栓設備
１８：床版
２０：管理用通路
２２：ダクト
２４：給水本管
２４ａ：分岐配管
２５：給水配管
２６：放水制御機構収納部
３０：消火栓収納箱
３１：筐体
３２：前扉
３３：前面扉開口
３４：第１上扉
３５：第１上面扉開口
３６：第２上扉
３７：第２上面扉開口
３８：前開きハンドル
４０，１０２：前開きハンドル
４２，４４，４６：ヒンジ
４８：通報装置パネル
５６，１０４：軸部材
５８，１０６：軸受け部材
５８ａ：軸穴
６０：前開き機構
７４：ホース収納部
７６：ホース
７８：泡ノズル
７８ａ：逆テーパ先端部
８０：ホースガイド
８０ａ〜８０ｄ，８２ａ〜８２ｃ，８４ａ，８４ｂ：ガイドパイプ
８６Ａ，８６Ｂ，８６Ｃ，８６Ｄ：ノズルホルダー
８８，１２０：支持部材
９０：ホルダー本体
９２，１３８：チャッキ部
９２ａ，１３８ａ：チャッキ爪
９４：軸ピン
９８：ノズル把持部
１００：上扉
１２４：第１ホルダー部材
１２６，１３４：軸ピン
１２８，１４６：第２ホルダー部材
１３０：ボルト軸
１３２：第３ホルダー部材
１４０：第１軸心線
１４２：第２軸心線
１４４：第３軸心線
【図１】
2018038781.tif 000003
【図２】
2018038781.tif 000004
【図３】
2018038781.tif 000005
【図４】
2018038781.tif 000006
【図５】
2018038781.tif 000007
【図６】
2018038781.tif 000008
【図７】
2018038781.tif 000009
【図８】
2018038781.tif 000010
【図９】
2018038781.tif 000011
【図１０】
2018038781.tif 000012
【図１１】
2018038781.tif 000013
【図１２】
2018038781.tif 000014
【図１３】
2018038781.tif 000015
【図１４】
2018038781.tif 000016
【図１５】
2018038781.tif 000017
【図１６】
2018038781.tif 000018
【図１７】
2018038781.tif 000019
【図１８】
2018038781.tif 000020
【図１９】
2018038781.tif 000021
【図２０】
2018038781.tif 000022
【図２１】
2018038781.tif 000023
【図２２】
2018038781.tif 000024
【図２３】
2018038781.tif 000025